(57)【要約】【課題】  １つのデータドライバによって実質的にデュアルスキャン駆動を可能にした自発光表示装置を提供すること。【解決手段】  横方向に配列されている複数の走査線Ｋ1 ，Ｋ2 ，……と、この走査線に交差して縦方向に配列されている複数のデータ線Ａ1 ，Ａ2 ，……と、前記走査線とデータ線の交差領域に配置された複数の発光素子Ｒａ11，Ｒｂ11……が備えられている。隣り合う２本の前記データ線Ａ1 ，Ａ2 にアノード端子がそれぞれ接続されている発光素子のカソード端子が、順次異なった走査線に接続されている。そして、前記走査線のいずれか２本が同時に走査選択される。これにより、各ＥＬ素子の発光ｄｕｔｙもほぼ２倍にすることができるので、各ＥＬ素子の瞬間発光輝度を低く設定することができ、ＥＬ素子へのストレスを軽減させることが可能となる。また、表示パネルの一方の端部に各データ線を引き出すことができるので、１つのデータドライバによって実質的にデュアルスキャン駆動が可能になる。【選択図】  図３
2005148248.tif 000002
【特許請求の範囲】
【請求項１】
一方向に配列されている複数の走査線と、前記走査線と交差して配列されている複数のデータ線と、前記走査線と前記データ線の交差領域に配置された複数の発光素子を有する表示装置であって、
隣接する複数本の前記データ線を組として、その組の各データ線にそれぞれ一方の端子が接続されている前記発光素子の他方の端子が、順次異なった走査線にそれぞれ接続され、前記走査線のいずれか２本が同時に走査選択されるように構成したことを特徴とする自発光表示装置。
【請求項２】
前記いずれか２本の走査線の走査選択タイミングが同期し、かつ選択時間が同じであることを特徴とする請求項１に記載の自発光表示装置。
【請求項３】
前記組をなす各データ線にそれぞれ一方の端子が接続されている前記発光素子は、同色の発光がなされるように構成されていることを特徴とする請求項１または請求項２に記載の自発光表示装置。
【請求項４】
前記組をなす各データ線にそれぞれ一方の端子が接続されている前記発光素子の発光領域は、同じ面積に形成されていることを特徴とする請求項１ないし請求項３のいずれかに記載の自発光表示装置。
【請求項５】
前記各走査線に対して前記他方の端子がそれぞれ接続されている各発光素子は、走査線分離隔壁により走査線ごとに電気的に絶縁されていることを特徴とする請求項１ないし請求項４のいずれかに記載の自発光表示装置。
【請求項６】
前記各データ線に駆動電流を供給するために前記表示装置の表示領域から引き出されるデータ線引き出し電極は、配列されたデータ線の長手方向に直交する表示領域の一辺のみから引き出されていることを特徴とする請求項１ないし請求項５のいずれかに記載の自発光表示装置。
【請求項７】
前記データ線引き出し電極が引き出されていない表示領域の他辺が互いに接合されることで、１つの表示装置を構成したことを特徴とする請求項６に記載の自発光表示装置。
【請求項８】
前記各走査線を走査選択するために前記表示装置の表示領域から引き出される走査線引き出し電極は、配列された走査線の長手方向に直交する表示領域の一辺のみから引き出されていることを特徴とする請求項１ないし請求項５のいずれかに記載の自発光表示装置。
【請求項９】
前記走査線引き出し電極が引き出されていない表示領域の他辺が互いに接合されることで、１つの表示装置を構成したことを特徴とする請求項８に記載の自発光表示装置。
【請求項１０】
前記各データ線に駆動電流を供給するために前記表示装置の表示領域から引き出されるデータ線引き出し電極が、配列されたデータ線の長手方向に直交する表示領域の一辺のみから引き出され、かつ前記各走査線を走査選択するために前記表示装置の表示領域から引き出される走査線引き出し電極が、配列された走査線の長手方向に直交する表示領域の一辺のみから引き出された構成の４つの表示装置が具備され、
前記データ線引き出し電極が引き出されていない表示領域の他辺が互いに接合されると共に、前記走査線引き出し電極が引き出されていない表示領域の他辺が互いに接合されることで、１つの表示装置を構成したことを特徴とする請求項１ないし請求項５のいずれかに記載の自発光表示装置。
【請求項１１】
前記発光素子が、有機化合物を発光層に用いた有機ＥＬ素子であることを特徴とする請求項１ないし請求項１０のいずれかに記載の自発光表示装置。
【発明の詳細な説明】
【技術分野】
【０００１】
この発明は、発光素子として例えば有機ＥＬ（エレクトロルミネッセンス）素子を用いたパッシブマトリクス型表示パネルを対象とした自発光表示装置に関し、特に大型の表示パネルを形成するに適した自発光表示装置に関する。
【背景技術】
【０００２】
発光素子をマトリクス状に配列して構成した表示パネルの開発が広く進められており、このような表示パネルに用いられる発光素子として、有機材料を発光層に用いた有機ＥＬ素子が注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であると言うことができる。そして、有機ＥＬ素子は電流・輝度特性が温度変化に対して安定しているのに対して、電圧・輝度特性が温度変化に対して不安定であること、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００４】
図１には、従来のパッシブマトリクス型表示パネルと、その駆動回路の基本構成が示されている。このパッシブマトリクス駆動方式における有機ＥＬ素子のドライブ方法には、陰極線走査・陽極線ドライブ、および陽極線走査・陰極線ドライブの２つの方法があるが、図１に示された構成は前者の陰極線走査・陽極線ドライブの形態を示している。すなわち、ｎ本のデータ線としての陽極線Ａ1 〜Ａn が縦方向に配列され、ｍ本の走査線としての陰極線Ｋ1 〜Ｋm が横方向に配列され、各々の交差した部分（計ｎ×ｍ箇所）に、ダイオードのシンボルマークによって示した有機ＥＬ素子Ｅ11〜Ｅnmが配置されて、表示パネル１を構成している。
【０００５】
そして、画素を構成する各ＥＬ素子Ｅ11〜Ｅnmは、縦方向に沿う陽極線Ａ1 〜Ａn と横方向に沿う陰極線Ｋ1 〜Ｋm との各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ1 〜Ａn はその一端部においてデータドライバ２にそれぞれ接続され、各陰極線Ｋ1 〜Ｋm はその一端部において走査ドライバ３に接続されてそれぞれ駆動される。
【０００６】
前記走査ドライバ３は、これに接続された前記陰極線Ｋ1 〜Ｋm を、順次択一的に例えば基準電位点（グランド）に接続することで走査選択し、前記データドライバ２は前記走査選択に同期して、各陽極線Ａ1 〜Ａn に発光駆動電流を適宜供給することで、画素を選択的に発光させるように動作する。
【０００７】
ところで、この種のパッシブマトリクス駆動方式による表示パネルにおいては、パネルサイズを大型化させるにしたがって、走査線の数も増加させることができる。しかしながら、走査線の数を増加させた場合には、それにほぼ反比例して走査線一本が走査されている時間が短くなり、したがって、ＥＬ素子が発光している時間（発光ｄｕｔｙ）も短くなる。そのために、素子が瞬間的に発光する瞬間輝度を大きくすることで、表示画面の明るさを確保する手段を採用せざるを得ない。
【０００８】
この様に発光素子の瞬間輝度を上げるためには、発光駆動電流を大きくする必要があり、これに付随してドライブ制御するＩＣの高耐圧化が求められ、技術的にもコストの面においても問題が発生する。これに加えて、発光駆動電流の増大によって素子の発光寿命を短縮させる結果も招く。
【０００９】
そこで、前記したように表示パネルのサイズが大型化され、素子の発光寿命に著しい影響を与えるような場合には、１つの表示パネルの走査を２分して表示する手段が採用される。これは、一般にデュアルスキャン駆動方式と呼ばれており、例えば液晶表示パネルを対象としたデュアルスキャン駆動方式が次に示す特許文献１に開示されている。
【特許文献１】特開２００１−３５６７４４号公報
【００１０】
図２には、前記したデュアルスキャン駆動方式を採用した例が示されており、１走査ラインに１２０ピクセルが形成され、これが１６０ライン配列された場合を例にして示されている。図２に示した構成においては、データ線としての陽極線は上下に二分され、上側の表示パネル１Ａにおいては、陽極線は符号２Ａで示すデータドライバＡに接続されて点灯駆動される。また、下側の表示パネル１Ｂにおいては、陽極線は符号２Ｂで示すデータドライバＢに接続されて点灯駆動される。
【００１１】
一方、走査ドライバ３は、上側の表示パネル１Ａにおける８０本の陰極線を順次走査すると共に、これと同時に下側の表示パネル１Ｂにおける８０本の陰極線も順次走査するように動作する。この走査に同期して、データドライバＡおよびデータドライバＢより、各表示パネル１Ａ，１Ｂに配列された前記陽極線に対して選択的に発光駆動電流が供給されることで、上側および下側の表示パネル１Ａ，１Ｂを１つの表示装置として、所定の画像を表示することができる。
【００１２】
このデュアルスキャン駆動方式を採用した場合においては、前記した例によると、１６０本の走査ラインを上下に２分してそれぞれドライブすることができるので、例えば１フレーム期間を８０スキャンの走査で構成することができる。このために、１走査の時間を長くとることができるので、素子の瞬間輝度を大きくさせることなく、画面の明るさを確保することができる。これにより、パッシブ駆動方式を採用した場合において技術的な課題とされている素子の駆動電流を低減させることができ、発光寿命をある程度延命させることが可能となる。
【発明の開示】
【発明が解決しようとする課題】
【００１３】
ところで、前記したように上下のデュアルスキャン駆動方式を採用した場合においては、上側の表示パネル１ＡをドライブするデータドライバＡと、下側の表示パネル１ＢをドライブするデータドライバＢが必要であり、この２つのデータドライバは、物理的に発光画像領域を挟んで、その両側に配置しなければならない。このためにデータドライバは１チップ化することが困難となり、コストの点で問題が残される。
【００１４】
なお、前記走査ドライバ３においても、上下の表示パネル１Ａ，１Ｂをそれぞれ独立して走査するために、基本的には２つの走査ドライバが必要になる。しかしながら、図２に示した構成のように、走査ドライバを上下の表示パネル１Ａ，１Ｂの一方の端部側（図２においては左端側）に配置させることで、これを１チップ化することは可能である。
【００１５】
前記したようにデュアルスキャン駆動方式を採用した場合においては、素子の発光ｄｕｔｙを大きくとることができるものの、２つのデータドライバを独立して配備する必要があるため、コストの点で問題が残される。また、表示パネルを接合させることで、さらに表示画面の大型化を図ろうとしても、データドライバの配置構成の問題で物理的に限界が発生する。
【００１６】
この発明は前記した問題点に着目してなされたものであり、従来のデュアルスキャン駆動方式と同様に素子の発光ｄｕｔｙを確保することができ、１つのデータドライバによって実質的にデュアルスキャン駆動を可能にした自発光表示装置を提供することを課題とするものである。
【課題を解決するための手段】
【００１７】
前記した課題を解決するためになされたこの発明にかかる自発光表示装置は、請求項１に記載のとおり、一方向に配列されている複数の走査線と、前記走査線と交差して配列されている複数のデータ線と、前記走査線と前記データ線の交差領域に配置された複数の発光素子を有する表示装置であって、隣接する複数本の前記データ線を組として、その組の各データ線にそれぞれ一方の端子が接続されている前記発光素子の他方の端子が、順次異なった走査線にそれぞれ接続され、前記走査線のいずれか２本が同時に走査選択されるように構成した点に特徴を有する。
【発明を実施するための最良の形態】
【００１８】
以下、この発明にかかる自発光表示装置について、図３および図４に示す実施の形態に基づいて説明する。まず、図３はこの発明にかかるパッシブマトリクス型表示パネルとその駆動回路の構成を示したものであり、この図３に示す表示パネル１は、陰極線走査・陽極線ドライブの形態を示している。そして、破線で囲んだようにＲ（赤）、Ｇ（緑）、Ｂ（青）の各色で発光する３つのサブピクセルを組として、１つのピクセル（画素）を形成した構成が示されている。
【００１９】
図３に示す表示パネル１においては、データ線としての陽極線が列（縦）方向に、また走査線としての陰極線が行（横）方向に配列されている。そして、隣接する２本の前記陽極線、例えば陽極線Ａ1 とＡ2 において、その一方の陽極線Ａ1 にダイオードのシンボルマークで示した赤色発光のＥＬ素子Ｒａ11のアノード端子が接続され、そのカソード端子は第１の陰極線Ｋ1 に接続されている。また、その他方の陽極線Ａ2 には、同色である赤色発光のＥＬ素子Ｒｂ11のアノード端子が接続され、そのカソード端子は第２の陰極線Ｋ2 に接続されている。
【００２０】
すなわち、この実施の形態においては隣接する２本のデータ線を組として、その組をなす各データ線Ａ1 ，Ａ2 にそれぞれ一方の端子（アノード端子）が接続されているＥＬ素子Ｒａ11，Ｒｂ11の他方の端子（カソード端子）が、順次異なった走査線Ｋ1 ，Ｋ2 にそれぞれ接続された構成にされている。
【００２１】
同様に、組をなす隣接する２本の陽極線Ａ1 ，Ａ2 において、その一方の陽極線Ａ1 にアノード端子が接続された赤色発光のＥＬ素子Ｒａ12のカソード端子は、第３の陰極線Ｋ3 に接続されており、また、その他方の陽極線Ａ2 にアノード端子が接続された赤色発光のＥＬ素子Ｒｂ12のカソード端子は、第４の陰極線Ｋ4 に順に接続されている。この接続形態は、図には示されていないが第５の陰極線以降においても同様になされている。
【００２２】
前記したＥＬ素子の接続形態は、さらに組をなす隣接する２本の陽極線Ａ3 Ａ4 おいても同様であり、この組をなす陽極線には緑色発光のＥＬ素子Ｇａ11，Ｇｂ11，……が接続されている。この接続形態はさらにまた組をなす隣接する２本の陽極線Ａ5 とＡ6 においても同様であり、この組をなす陽極線には青色発光のＥＬ素子Ｂａ11，Ｂｂ11，……が同様に接続されている。この接続形態は、図には示されていないが、図３における表示パネル１のさらに右側に配列される各陽極線においても同様になされている。
【００２３】
この図３に示した表示パネル１においては、行方向に配列された陰極線に上から下に向かって順に番号Ｋ1 ，Ｋ2 ，……を振った時、奇数の数字に該当する陰極線を奇数ライン、偶数の数字に該当する陰極線を偶数ラインとした時、隣接する２本の前記組となる陽極線にアノード端子がそれぞれ接続されている前記発光素子のカソード端子は、前記陰極線の奇数ラインおよび偶数ラインに対して交互に接続された構成とされている。換言すれば、図３に示す表示パネル１においては、図１に示した従来の表示パネルにおける１本の陽極線を２つに分けた構成になされている。
【００２４】
前記各陽極線はその一端部においてデータドライバ２にそれぞれ接続され、各陰極線はその一端部において走査ドライバ３に接続されてそれぞれ駆動される。前記データドライバ２には、これにもたらされる駆動電圧ＶH を利用して動作する定電流源Ｉ1 ，Ｉ2 ，……およびドライブスイッチＳa1，Ｓa2，……が備えられており、ドライブスイッチＳa1，Ｓa2，……が、前記定電流源Ｉ1 ，Ｉ2 ，……側に接続されることにより、各定電流源からの電流が、陰極線に対応して配置された個々のＥＬ素子に対して駆動電流として供給されるように作用する。また、前記ドライブスイッチＳa1，Ｓa2，……は、定電流源Ｉ1 ，Ｉ2 ，……からの電流を個々のＥＬ素子に供給しない場合には、当該陽極線を基準電位点としてのグランド側に接続できるように構成されている。
【００２５】
一方、前記走査ドライバ３には、各陰極線Ｋ1 ，Ｋ2 ，……に対応して走査スイッチＳk1，Ｓk2，……が備えられ、この走査スイッチは主にクロストーク発光を防止するための直流電圧値による逆バイアス電圧Ｖk または基準電位点としてのグランド電位のうちのいずれか一方を、対応する陰極線に接続するように作用する。この場合、前記陰極線はいずれか２本が同時に基準電位点としてのグランド側に接続され、走査選択がなされる。なお、図３においてはその奇数番目のいずれか１本（陰極線Ｋ1 ）と偶数番目のいずれか１本（陰極線Ｋ2 ）とが同時に基準電位点としてのグランド側に接続されている状態を示している。
【００２６】
図３に示す状態においては、第１番目と第２番目の陰極線Ｋ1 ，Ｋ2 がグランド側に接続され、走査状態になされている場合を示しており、この時データドライバ２における各ドライブスイッチＳa1，Ｓa2，……が適宜定電流源Ｉ1 ，Ｉ2 ，……側に接続されることにより、第１番目と第２番目の陰極線にカソード電極が接続された各ＥＬ素子に対して駆動電流が供給され、当該ＥＬ素子を発光駆動させることができる。
【００２７】
なお、前記したデータドライバ２および走査ドライバ３には、ＣＰＵを含む発光制御回路４よりコントロールバスが接続されており、表示すべき映像信号に基づいて、前記走査スイッチＳk1，Ｓk2，……およびドライブスイッチＳa1，Ｓa2，……の切り換え操作がなされる。これにより、映像信号に基づいて前記したとおり走査線を所定の周期でグランド電位に設定しながら所望の陽極線に対して定電流源Ｉ1 ，Ｉ2 ，……が接続され、前記各ＥＬ素子が選択的に発光されることで、表示パネル１上に前記映像信号に基づく画像が表示される。
【００２８】
斯くして、前記した構成の表示パネル１と、この表示パネルに配列された走査線のいずれか２本を同時に走査選択する陰極線走査手段の組み合わせによると、それぞれの陰極線の走査選択時間をほぼ２倍にすることができる。したがって、各ＥＬ素子の発光ｄｕｔｙもほぼ２倍にすることができるので、各ＥＬ素子の瞬間発光輝度を低く設定することができ、ＥＬ素子へのストレスを軽減させることが可能となる。また、瞬間発光輝度を低くすることができることに伴い、特にデータドライバ２を構成するドライブＩＣ等の耐圧も低く設定することができ、コストの低減に寄与することができる。
【００２９】
さらに、前記した構成によると、既に説明したデュアルスキャン駆動と同様の機能を保持しながら、データドライバ２は１つのドライブＩＣにより構成（１チップ化）することが可能であり、したがって、モジュールコストを大幅に削減することが可能になる。また、デュアルスキャン駆動と同様の機能を保持しながら、データドライバ２は１つのドライブＩＣにより構成できるので、後で詳細に説明するように、さらに表示パネルを接合させることで表示画面の大型化を図ろうとした場合、データドライバの配置構成で制約を受ける度合いを低減させることがとできる。
【００３０】
さらにまた、既に説明したデュアルスキャン駆動においては、表示領域を挟んだ２つのドライブＩＣのばらつきに伴い、それぞれの駆動電流値の相違が発生し易い。この影響を受けて表示領域のほぼ中央で、大きな輝度段差が発生するという問題を抱えているが、図３に示した構成によると、前記したような輝度段差の発生を効果的に防止させることができる。また、図３に示した構成によると、陰極線走査は必ずしも隣接する陰極線を同時に走査する必要はなく、表示パネル中の離れた位置における陰極線を同時に走査することで、前記した作用効果を得ることができる。
【００３１】
なお、図３に示した実施の形態においては、奇数と偶数ラインに対応する陰極線は、その走査選択のタイミングが互いに同期し、かつ選択時間が同じとなるように制御されるが、この実施の形態によると、奇数と偶数ラインに対応する陰極線の走査選択時間を互いに異ならせるように制御することもできる。
【００３２】
次に図４は、図３に示した表示パネル１を構成する各機能層の積層状態を模式的に示したものである。この表示パネル１は基本的には例えば透明のガラス基板上に、後述する各各機能層が成膜されることで形成される。先ず、前記基板上にはデータ線としての陽極線Ａ1 ，Ａ2 ，……がフォトリソ法を利用する等して縦方向に形成される。この陽極線としては周知のＩＴＯが用いられており、縦方向の陽極線と共に各ＥＬ素子によるサブピクセルＲａ11，Ｒｂ11，……が形成される領域にも、陽極電極として同じＩＴＯが成膜される。
【００３３】
この構成により前記した組をなす隣接する陽極線、例えば陽極線Ａ1 ，Ａ2 には、互いにサブピクセルＲａ11，Ｒｂ11，……が形成される領域が交互に櫛歯状に入り込んだ状態でＩＴＯの成膜が成される。これは組をなす例えば陽極線Ａ3 ，Ａ4 および陽極線Ａ5 ，Ａ6 においても同様である。
【００３４】
続いて、前記サブピクセルＲａ11，Ｒｂ11，……が形成される領域を除いた全面に、図には示されていないが例えば高分子ポリイミド等を素材とした絶縁層が成膜される。これに続いて前記陽極線Ａ1 ，Ａ2 ，……に直交する方向に走査線分離隔壁２２がストライプ状に形成される。この走査線分離隔壁２２の形成後に有機ＥＬ材料が、例えば抵抗加熱蒸着法によって成膜される。この時、有機ＥＬ材料は前記したＩＴＯによるサブピクセルの形成領域を含む全面にわたって成膜される。
【００３５】
そして、陰極を構成するアルミ素材等による金属薄膜が、例えば抵抗加熱蒸着法によって成膜される。この金属薄膜も全面にわたって成膜されるが、ストライプ状に形成された前記走査線分離隔壁２２の存在によって、面の厚さ方向で電気的に分離される。この結果、前記金属薄膜は有機ＥＬ材料の成膜により形成されたサブピクセルＲａ11，Ｒｂ11，……の陰極側電極として機能すると共に、走査線分離隔壁２２によって、互いに電気的に絶縁された陰極線Ｋ1 ，Ｋ2 ，……として形成される。
【００３６】
この発明にかかる自発光表示装置は、前記した構成により各サブピクセルＲａ11，Ｒｂ11，……は、それぞれ矩形状にしてほぼ同一の面積に形成される。そして、前記した組をなす隣接する陽極線に対応して形成される各サブピクセルは、互いに千鳥足状に配置された構成となる。
【００３７】
図５〜図８には、以上説明した自発光表示装置を利用した各構成が示されている。図５に示す構成は、既に説明した図３に対応する構成を示すものであり、この図５に示す例においては１走査ラインに１２０ピクセルが形成され、これが１６０ライン配列された表示パネル１が示されている。そして、表示パネル１におけるデータ線の長手方向に直交する表示領域の一辺からデータ線引き出し電極１ａが引き出されており、これらはデータドライバ２に接続されて、データドライバ２より点灯駆動電流が供給されようになされる。また、表示パネル１における走査線の長手方向に直交する表示領域の一辺から走査線引き出し電極１ｋが引き出されており、これらは走査ドライバ３に接続されて、走査ドライバ３による走査選択動作を受けるようになされる。
【００３８】
図５に示す構成においては、図３に基づいて説明したように走査ドライバ３は、表示パネル１に配列された走査線のいずれか２本が同時に、例えば奇数番目のいずれか１本と偶数番目のいずれか１本とが常に走査選択される。したがって、奇数と偶数の各走査ラインが順次走査選択される結果、１フレーム期間を８０スキャンの走査とすることができる。この結果、図３に基づいて説明した作用効果を得ることができる。
【００３９】
次に図６に示す構成は、図５に示した基本構成を利用しつつ表示画面の大型化を図ろうとした場合の第１例を示している。この図６に示した構成においては、図５に示した構成において、データ線引き出し電極１ａが引き出されていない表示領域の他辺が互いに接合されることで、１つの表示装置が形成されている。この表示装置においては一例として、１走査ラインに１６０ピクセルが形成され、これが２４０ライン配列された構成とされている。
【００４０】
そして、符号２Ａで示すデータドライバＡと、符号３Ａで示す走査ドライバＡとにより、上側の表示パネル１Ａがドライブされる。また同時に符号２Ｂで示すデータドライバＢと、符号３Ｂで示す走査ドライバＢとにより、下側の表示パネル１Ｂがドライブされる。この構成により、上側および下側の表示パネル１Ａ，１Ｂにおいて、２走査ラインを同時に走査選択することで、１フレーム期間を６０スキャンの走査とすることができる。したがって、図６に示したように表示画面を大型化させた場合であっても、既に説明した図５の構成において得られる作用効果をそのまま享受することができる。
【００４１】
次に図７に示す構成は、図５に示した基本構成を利用しつつ表示画面の大型化を図ろうとした場合の第２例を示している。この図７に示した構成においては、図５に示した構成において、走査線引き出し電極１ｋが引き出されていない表示領域の他辺が互いに接合されることで、１つの表示装置が形成されている。この表示装置においては一例として、１走査ラインに３２０ピクセルが形成され、これが１２０ライン配列された構成とされている。
【００４２】
そして、符号２Ａで示すデータドライバＡと、符号３Ａで示す走査ドライバＡとにより、左側の表示パネル１Ａがドライブされる。また同時に符号２Ｂで示すデータドライバＢと、符号３Ｂで示す走査ドライバＢとにより、右側の表示パネル１Ｂがドライブされる。この構成により、左側および右側の表示パネル１Ａ，１Ｂにおいて、２走査ラインを同時に走査選択することで、１フレーム期間を６０スキャンの走査とすることができる。したがって、図７に示したように表示画面を大型化させた場合であっても、既に説明した図５の構成において得られる作用効果をそのまま享受することができる。
【００４３】
また、図８に示す構成は、図５に示した基本構成を利用しつつ表示画面のさらに大型化を図ろうとした場合の第３例を示している。この図８に示した構成においては、図５に示した構成において、データ線引き出し電極１ａが引き出されていない表示領域の他辺が互いに接合されると共に、走査線引き出し電極１ｋが引き出されていない表示領域の他辺も互いに接合されることで、１つの表示装置が形成されている。この表示装置においては一例として、１走査ラインに３２０ピクセルが形成され、これが２４０ライン配列された構成とされている。
【００４４】
そして、符号２Ａで示すデータドライバＡと、符号３Ａで示す走査ドライバＡとにより、左上の表示パネル１Ａがドライブされ、また符号２Ｂで示すデータドライバＢと、符号３Ｂで示す走査ドライバＢとにより、左下の表示パネル１Ｂがドライブされる。同様に符号２Ｃで示すデータドライバＣと、符号３Ｃで示す走査ドライバＣとにより、右上の表示パネル１Ｃがドライブされ、さらに符号２Ｄで示すデータドライバＤと、符号３Ｄで示す走査ドライバＤとにより、右下の表示パネル１Ｄがドライブされる。
【００４５】
この構成における各表示パネル１Ａ，１Ｂ，１Ｃ，１Ｄにおいて、２走査ラインを同時に走査選択することで、１フレーム期間を６０スキャンの走査とすることができる。したがって、図８に示したように表示画面を大型化させた場合であっても、既に説明した図５の構成において得られる作用効果をそのまま享受することができる。
【００４６】
図９は、この発明にかかる表示装置に好適に採用し得る表示パネルの他の例を示したものであり、これはすでに説明した図４と同様に表示パネル１を構成する各ピクセルの配置状態を模式的に示したものである。なお、図９において図４に示す各部に相当する部分は、同一符号で示しており、したがってその詳細な説明は適宜省略する。この図９に示す実施の形態においても、隣接する２本のデータ線を組として、その組の各データ線に対して、それぞれ一方の端子が接続されている発光素子の他方の端子が、順次異なった走査線にそれぞれ接続された構成とされている。
【００４７】
すなわち、組をなす隣接する２本のデータ線Ａ1 ，Ａ2 に着目した場合、陽極線Ａ1 に対して赤色を発光するＥＬ素子Ｒａ11およびＲｂ11の各アノード端子が接続されると共に、それぞれのカソード端子は、異なった陰極線Ｋ1 ，Ｋ2 に接続されている。また、陽極線Ａ2 に対して赤色を発光するＥＬ素子Ｒａ12およびＲｂ12の各アノード端子が接続されると共に、それぞれのカソード端子は、異なった陰極線Ｋ3 ，Ｋ4 に接続されている。図９には紙面の関係でさらに示されていないが、このサブピクセルの配置構成は２本の陽極線Ａ1 ，Ａ2 において同様になされている。
【００４８】
また、組をなす隣接する２本の陽極線Ａ3 ，Ａ4 においても同様であり、この陽極線Ａ3 ，Ａ4 においては、それぞれ緑色を発光する各ＥＬ素子Ｇａ11，Ｇａ12，……が形成されている。さらに、組をなす隣接する２本の陽極線Ａ5 ，Ａ6 においても同様であり、この陽極線Ａ5 ，Ａ6 においては、それぞれ青色を発光する各ＥＬ素子Ｂａ11，Ｂａ12，……が形成されている。
【００４９】
そして、図９に示す構成の表示パネル１においても、前記陰極のいずれか２本が同時に走査選択されるようになされる。したがって、ＥＬ素子の発光ｄｕｔｙを実質的に２倍とすることができ、図４に示した構成の表示パネルを用いた表示装置と同様の作用効果を得ることができる。また、図９に示したデータ線としての陽極線の配列構成によると、表示パネル１の一方の端部に各陽極線を引き出すことができるので、図６〜図８に示したように表示画面の大型化を図ろうとする表示装置に好適に採用することができる。
【００５０】
図１０は、この発明にかかる表示装置に好適に採用し得る表示パネルのさらに他の例を示したものであり、これはすでに説明した図４と同様に表示パネル１を構成する各ピクセルの配置状態を模式的に示したものである。なお、図１０において図４に示す各部に相当する部分は、同一符号で示しており、したがってその詳細な説明は省略する。また、図１０においては図面が繁雑になるため、すでに説明した走査線分離隔壁２２は、その左右位置においてのみ表示している。
【００５１】
この図１０に示す実施の形態においては、隣接する４本の陽極線を組にしている。例えば陽極線Ａ1 ，Ａ2 ，Ａ3 ，Ａ4 が組になされ、その陽極線にそれぞれ赤色発光のＥＬ素子Ｒａ11，Ｒｃ11，Ｒｂ11，Ｒｄ11のアノード端子が接続されており、これらＥＬ素子のカソード端子は、順次異なった陰極線Ｋ1 ，Ｋ3 ，Ｋ2 ，Ｋ4 にそれぞれ接続されている。また、赤色発光のＥＬ素子Ｒａ12，Ｒｃ12，Ｒｂ12，Ｒｄ12の接続パターンも同様である。
【００５２】
また、組をなす隣接する４本の陽極線Ａ5 ，Ａ6 ，Ａ7 ，Ａ8 においても緑色発光のＥＬ素子Ｇａ11，Ｇｂ11，……が同様のパターンで接続されており、さらに、組をなす隣接する４本の陽極線Ａ9 ，Ａ10，Ａ11，Ａ12においても青色発光のＥＬ素子Ｂａ11，Ｂｂ11，……が同様のパターンで接続されている。
【００５３】
そして、図１０に示す構成の表示パネル１においても、前記陰極線のいずれか２本が同時に走査選択されるようになされる。したがって、ＥＬ素子の発光ｄｕｔｙを実質的に２倍にすることができ、図４に示した構成の表示パネルを用いた表示装置と同様の作用効果を得ることができる。また、図１０に示したデータ線としての陽極線の配列構成においても、表示パネル１の一方の端部に各陽極線を引き出すことができるので、図６〜図８に示したように表示画面の大型化を図ろうとする表示装置に好適に採用することができる。
【図面の簡単な説明】
【００５４】
【図１】従来における表示パネルとその駆動回路の例を示した結線図である。
【図２】図１に示した表示パネルを利用しデュアルスキャン駆動方式を採用した例を示す模式図である。
【図３】この発明にかかる表示装置を示した結線図である。
【図４】図３に示した表示パネルを構成する各機能層の積層状態を示した模式図である。
【図５】図３に示した表示パネルの走査状態を説明する模式図である。
【図６】図５に示した基本構成を利用しつつ表示画面の大型化を図ろうとした場合の第１の例を示した模式図である。
【図７】同じく表示画面の大型化を図ろうとした場合の第２の例を示した模式図である。
【図８】同じく表示画面の大型化を図ろうとした場合の第３の例を示した模式図である。
【図９】この発明にかかる表示装置に好適に採用し得る表示パネルの他の例を示した模式図である。
【図１０】この発明にかかる表示装置に好適に採用し得る表示パネルのさらに他の例を示した模式図である。
【符号の説明】
【００５５】
１，１Ａ〜１Ｄ        表示パネル
１ａ                  データ線引き出し電極
１ｋ                  走査線引き出し電極
２，２Ａ〜２Ｄ        データドライバ
３，３Ａ〜３Ｄ        走査ドライバ
４                    発光制御回路
２２                  走査線分離隔壁
Ａ1 ，Ａ2 ，……      データ線（陽極線）
Ｉ1 ，Ｉ2 ，……      定電流源
Ｋ1 ，Ｋ2 ，……      走査線（陰極線）
Ｒａ11，Ｒｂ11，……  発光素子（有機ＥＬ素子）
Ｓa1，Ｓa2，……      ドライブスイッチ
Ｓk1，Ｓk2，……      走査スイッチ
【図１】
2005148248.tif 000003
【図２】
2005148248.tif 000004
【図３】
2005148248.tif 000005
【図４】
2005148248.tif 000006
【図５】
2005148248.tif 000007
【図６】
2005148248.tif 000008
【図７】
2005148248.tif 000009
【図８】
2005148248.tif 000010
【図９】
2005148248.tif 000011
【図１０】
2005148248.tif 000012